(57)【特許請求の範囲】
【請求項１】
１つの架設体（１３）と、その架設体（１３）を支持する１つの脚体（１２）とを備え、架設体（１３）をほぼ水平面内において傾動可能に構成した工事用バリケードにおいて、
前記脚体（１２）は、側面形ほぼＡ字状をなし、脚片（１４ｂ）と横桟（１４ａ）を有する脚本体部（１４）と、その脚本体部（１４）の上端に取り付けられ、上面に連結部（３３）を有する連結部材（１５）とから構成され、
前記架設体（１３）は、その一端部が脚本体部（１４）の上端と連結部材（１５）との間にほぼ水平面内において傾動可能に装着されるとともに、同一端部が脚本体部（１４）の上端にて軸（１８）により上下に回動可能に支持され、架設体（１３）の先端に有する被連結部（２２）を他の工事用バリケードの連結部（３３）に連結することでほぼ水平に支持される使用位置と、前記架設体（１３）の先端を前記横桟１４ａの側面中央に形成した嵌合凹部２４に嵌合することで脚体（１２）に沿ってほぼ垂直に折り畳まれる折り畳み位置とに配置されることを特徴とする工事用バリケード。
【請求項２】
脚体（１２）は、凹部（１７）を有し、架設体（１３）はその凹部（１７）内において傾動可能に支持されるとともに、凹部（１７）に設けた規制部（１７ａ，１７ｂ，３２ａ）により傾動範囲を規制される請求項１に記載の工事用バリケード。
【請求項３】
軸（１８）は、脚本体部（１４）と、連結部材（１５）との間に支持されている請求項１または２に記載の工事用バリケード。
【請求項４】
架設体（１３）が折り畳まれた状態において、全体として扁平状をなす請求項１〜３のいずれかに記載の工事用バリケード。
【請求項５】
脚体（１２）は、折り畳まれた架設体（１３）を係止保持するための係止部（３１）を有する請求項１〜４のいずれかに記載の工事用バリケード。
【請求項６】
架設体（１３）は、折り畳まれた状態において倒伏するように横転可能である請求項１〜５のいずれかに記載の工事用バリケード。
【発明の詳細な説明】
【０００１】
【発明の属する技術分野】
この発明は、工事現場等において、一般人の立ち入り制限等のために設置される工事用バリケードに関するものである。
【０００２】
【従来の技術】
従来のこの種の工事用バリケードとしては、例えば図１３に示すような構成のものが知られている。すなわち、この従来構成の工事用バリケード５１においては、側面形ほぼＡ字状をなす一対の脚体５２の上端部間に、架設体５３が一体に架設固定されていた。そして、この工事用バリケード５１を工事箇所等に沿って複数個連設して、その工事箇所等への立ち入りの制限等を行うようにしていた。
【０００３】
【発明が解決しようとする課題】
ところが、前述のようにこの従来の工事用バリケードにおいては、一対の脚体５２と架設体５３とが一体的に固定された構成になっている。このため、複数の工事用バリケード５１を工事箇所等に沿って直線状に設置する場合には問題がないが、工事箇所等を包囲して湾曲状等に設置する場合には問題があった。
【０００４】
すなわち、図１４に示すように、隣り合う工事用バリケード５１を傾斜状態で設置しようとした場合、両者の間に隙間が形成される。従って、バリケード５１の間から人が簡単に入り込めるため、バリケードとしての機能を十分に発揮できないという問題があった。
【０００５】
この発明は、このような従来の技術に存在する問題点に着目してなされたものである。その目的とするところは、工事箇所等に応じた湾曲状等の任意の形に、容易に連設設置することができる工事用バリケードを提供することにある。
【０００６】
【課題を解決するための手段及び発明の効果】
上記の目的を達成するために、請求項１に記載の発明では、１つの架設体１３と、その架設体１３を支持する１つの脚体１２とを備え、架設体１３をほぼ水平面内において傾動可能に構成した工事用バリケードにおいて、前記脚体１２は、側面形ほぼＡ字状をなし、脚片１４ｂと横桟１４ａを有する脚本体部１４と、その脚本体部１４の上端に取り付けられ、上面に連結部３３を有する連結部材１５とから構成され、前記架設体１３は、その一端部が脚本体部１４の上端と連結部材１５との間にほぼ水平面内において傾動可能に装着されるとともに、同一端部が脚本体部１４の上端にて軸１８により上下に回動可能に支持され、架設体１３の先端に有する被連結部２２を他の工事用バリケードの連結部３３に連結することでほぼ水平に支持される使用位置と、前記架設体１３の先端を前記横桟１４ａの側面中央に形成した嵌合凹部２４に嵌合することで脚体１２に沿ってほぼ垂直に折り畳まれる折り畳み位置とに配置される。
【０００７】
従って、架設体１３の水平面内における向きを変更できるため、複数の工事用バリケードを、全体として湾曲状等の任意の形に、容易に連設設置することができる。加えて、一対の脚体と１つの架設体とを備えた従来の工事用バリケードに比較して、バリケード全体の構造を簡略化することができる。また、架設体１３を脚体１２に対して水平面内で傾動させるとともに、架設体１３の先端を他の工事用バリケードにおける脚体１２上の連結部３３に連結することにより、複数の工事用バリケードを、全体として湾曲状等の任意の形に容易に連設設置することができる。さらに、工事用バリケードの不使用時には、架設体１３を使用位置から折り畳み位置に変移させることにより、全体を小型にすることができる。よって、広いスペースを要することなく、大量の工事用バリケードを容易に保管及び運搬することができる。また、工事用バリケードを工事箇所等へ移動設置する際にも、架設体１３を折り畳み位置に配置した状態で、手軽に取り扱うことができる。しかも、脚体１２が複雑な形状であっても、分割して成形することができ、成形型が複雑な形状になるのを避けることができる。また、架設体１３の折り畳み状態において、工事用バリケード全体を薄くすることに寄与でき、運搬時等における取扱いを容易に行うことができる。
【００１０】
請求項２に記載の発明では、請求項１において、架設体１３はその凹部１７内において傾動可能に支持されるとともに、凹部１７に設けた規制部１７ａ，１７ｂ，３２ａにより傾動範囲を規制される。
【００１１】
従って、架設体１３が所要範囲を越えて妄動することがなく、架設体１３の位置決めを行い得て、バリケード連の組立てが容易になる。
【００１５】
請求項３に記載の発明では、請求項１または２において、軸１８は、脚本体部１４と連結部材１５との間に支持されている。
従って、軸１８を脚本体部１４と連結部材１５との間に挟み込めばよく、軸１８を固定するための専用部品が不要になり、構成が簡単になる。
【００１６】
請求項４に記載の発明においては、請求項１〜３のいずれかにおいて、架設体１３が折り畳まれた状態において、全体として扁平状をなすものである。
従って、工事用バリケードの不使用時において、工事用バリケードの保管，運搬等に際して、その取扱いを容易に行うことができる。
【００１８】
請求項５に記載の発明においては、請求項１〜４のいずれかにおいて、脚体１２に、折り畳まれた架設体１３を係止保持するための係止部３１を設けた。
従って、架設体１３の折り畳み状態において、架設体１３の妄動を防止でき、運搬時等における取扱いを容易に行うことができる。
【００１９】
請求項６においては、請求項１〜５のいずれかにおいて、架設体１３を、折り畳まれた状態において倒伏状態となるように横転可能にした。
従って、架設体１３はその幅方向が脚体１２の幅方向に沿うことになり、架設体１３が幅広であっても、工事用バリケード全体を扁平にできる。
【００２１】
【発明の実施の形態】
（第１の実施形態）
以下に、この発明の第１の実施形態を、図１〜図８に基づいて説明する。
【００２２】
図１及び図２に示すように、この実施形態の工事用バリケード１１は、それぞれ扁平形状をなす１つの脚体１２と１つの架設体１３とから構成されている。脚体１２は、側面形ほぼＡ字状をなす脚本体部１４と、一対のネジ１６により脚本体部１４の上端に取り付けられた連結部材１５とから構成されている。
【００２３】
前記脚体１２の脚本体部１４は、合成樹脂のブロー成形によりほぼ全体が中空状に形成されるとともに、上端部が充実状に形成されている。また、連結部材１５は、その全体が射出成形により充実状に形成されている。さらに、架設体１３は、合成樹脂のブロー成形によりほぼ全体が中空状に形成されるとともに、両端部が充実状に形成されている。
【００２４】
図２及び図３に示すように、前記脚体１２の脚本体部１４及び連結部材１５にはそれらの間に位置する取付凹部１７が形成され、脚体１２の側方及び下方に向かって開口されている。脚本体部１４と連結部材１５との間には支軸１８が挟着保持され、その半球状をなす先端が取付凹部１７内に突出されている。
【００２５】
前記架設体１３の基端の一側面には凹溝１９が形成され、側方及び上方に開口されている。凹溝１９の奥部に位置するように、架設体１３の基端には支持孔２０が形成され、その一方の開口縁には斜状の切欠部２１が形成されている。
【００２６】
そして、図２及び図３に示すように、支軸１８が凹溝１９側から支持孔２０に嵌挿されることにより、架設体１３が脚体１２の上端に上下方向に回動可能に取付けられている。これにより、架設体１３は、図１に実線で示すとともに図４に鎖線で示すように横方向へほぼ水平に延び、前記取付凹部１７の上面で規制される使用位置Ｐ１と、図４に実線で示すように縦方向へほぼ垂直に延びる折り畳み位置Ｐ２とに回動配置されるようになっている。
【００２７】
また、架設体１３は、使用位置Ｐ１に回動配置された状態において、図１及び図３に鎖線で示すように、ほぼ水平面内で傾動できるようになっている。
さらに、架設体１３は、折り畳み位置Ｐ２に回動配置された状態において、図４の矢印方向に回転されることにより、図５に示すように、支軸１８の延長方向に沿って倒伏するように格納位置Ｐ３に横転配置される。このとき、図６に実線で示すように、支軸１８が支持孔２０から離脱されて、凹溝１９内に収容されるようになっている。
【００２８】
図１及び図２に示すように、前記架設体１３の先端には鈎状突起よりなる被連結部２２が形成されている。架設体１３の中間部にはほぼ三角状をなす一対の表示部２３が突出形成されている。従って、表示部２３の部分が幅広となり、架設体１３が使用位置Ｐ１に回動配置された状態で、これらの表示部２３により架設体１３の存在を目立たせるようになっている。
【００２９】
前記脚本体部１４の横桟１４ａの側面中央には嵌合凹部２４が形成されている。そして、図４及び図５に示すように、架設体１３が折り畳み位置Ｐ２及び格納位置Ｐ３に配置されたとき、その先端がこの嵌合凹部２４内に嵌合されるようになっている。これにより、架設体１３が格納位置Ｐ３に配置された状態で、その全体が脚体１２の外側方に飛び出すことなく、脚本体部１４の両脚片１４ｂ間に格納され、この工事用バリケード１１全体が扁平状をなす。
【００３０】
前記脚本体部１４の横桟１４ａ上には凹所２５が形成されている。そして、図１に示すように、工事用バリケード１１の使用状態で、この凹所２５に土のう２６を乗せて、脚体１２の転倒や位置ずれを防止するようになっている。横桟１４ａの上面中央には挿通溝２７が形成されるとともに、横桟１４ａの両側には挿通孔２８が形成されている。そして、図１に示すように、工事用バリケード１１の使用状態で、これらの挿通溝２７または挿通溝２８を介して、隣接する複数のバリケード１１の脚体１２間に長尺材としてのパイプ材２９を挿通し、脚体１２の転倒や位置ずれを防止するようになっている。
【００３１】
図１及び図５に示すように、前記脚本体部１４の一方の脚片１４ｂに格納凹部３０が形成され、その下端縁には係止部３１が突設されている。そして、図５に示すように、架設体１３が折り畳み位置Ｐ２から格納位置Ｐ３に横転配置されたとき、架設体１３上の一方の表示部２３が格納凹部３０内に格納されて、係止部３１に係合される。これにより、架設体１３が格納位置Ｐ３に係止保持されるようになっている。
【００３２】
図３及び図６に示すように、前記連結部材１５の取付凹部１７の開口縁には係止部３２が突設されている。そして、図６に示すように、架設体１３が折り畳み位置Ｐ２から格納位置Ｐ３に横転配置されたとき、架設体１３の基端縁が係止部３２に係合される。これにより、架設体１３が格納位置Ｐ３に係止保持されるようになっている。
【００３３】
図１及び図３に示すように、前記連結部材１５の上面において、架設体１３の使用位置Ｐ１への延長方向と反対側の端縁及び延長方向と直交する両側縁には、３つの鈎形状の溝よりなる連結部３３が形成されている。そして、複数の工事用バリケード１１を工事箇所等に沿って設置する場合、隣接するバリケード１１における架設体１３の被連結部２２を、これらの連結部３３に異なった方向から選択的に連結できるようになっている。
【００３４】
図３に示すように、架設体１３は脚体１２の側方へほぼ直角に延びる位置と、そこからほぼ４５度傾斜した位置との間を傾動される。前記直角位置は取付凹部１７の内側面１７ａ及び係止部３２の先端面３２ａにより規制され、前記傾斜位置は取付凹部１７の開口部１７ｂにより規制される。
【００３５】
次に、前記のように構成された工事用バリケードの使用方法を説明する。
さて、この工事用バリケード１１を工事現場等で使用する場合には、複数のバリケード１１を工事箇所等に沿って所定間隔おきに配置する。そして、各バリケード１１において、架設体１３を図１に鎖線で示す折り畳み位置Ｐ２から、実線で示す使用位置Ｐ１に回動させる。
【００３６】
その後、各バリケード１１において脚体１２を起立させながら、図１及び図３に鎖線で示すように、架設体１３の先端の被連結部２２を、隣接するバリケード１１における脚体１２上の連結部３３に選択的に連結させる。これにより、複数の工事用バリケード１１を工事箇所等に沿って、直線状あるいは屈折状に連設設置して、工事箇所等への一般人の立ち入り等を制限することができる。
【００３７】
図７においては、架設体１３の傾動角度をゼロにするとともに、架設体１３の反対側の連結部３３を選択して、そこに架設体１３の被連結部２２を嵌合することにより、複数の工事用バリケード１１をそれらの脚体１２が平行に、かつ架設体１３が一直線状になるように連設された例を示す。この場合、バリケード連の一端部の工事用バリケード１１はその架設体１３が格納位置に保持された状態にして、使用位置には配置しない。
【００３８】
図８においては、一部の工事用バリケード１１の架設体１３の傾動角度を斜めにするとともに、被連結部２２が連結される連結部３３を変更することにより、図７のようなバリケード連において一部を屈曲させた例を示す。従って、工事箇所に凸部等が存在する場合には、その凸部等に沿って複数の工事用バリケード１１を湾曲状に連設設置して、立ち入りを制限することができる。
【００３９】
図９においては、各工事用バリケード１１の架設体１３の傾動角度を斜めにするすることにより、バリケード連を全体として環状にした例を示す。従って、工事箇所等の全体を包囲する必要がある場合には、複数の工事用バリケード１１を傾斜状態で順に連結することにより、その工事箇所等の全体を隙間なく包囲して、立ち入りを制限するすることができる。
【００４０】
このように、工事箇所に応じて各種形状のバリケード連を隙間を生じることなく、自在に組み立てることができる。なお、図８の例においても、バリケード連の一方の端部の工事用バリケード１１は、その架設体１３を格納位置に保持した状態にする。
【００４１】
前記の実施形態によって期待できる効果について、以下に記載する。
・  この実施形態の工事用バリケードにおいては、架設設体１３が水平面内で傾動可能に組み付けられている。このため、架設体１３の水平面内の角度を適宜に選択することにより、複数の工事用バリケード１１を、工事箇所等の形状に応じた湾曲状等の任意の形に、隙間なく容易に連設設置することができる。
【００４２】
・  そして、脚体１２上には他の工事用バリケード１１における架設体１３の先端に連結可能な連結部３３が設けられている。このため、一対の脚体と１つの架設体とを備えた従来の工事用バリケードに比較して、バリケード１１全体の形状を小さくすることができる。また、架設体１３を脚体１２に対して水平面内で傾動させるとともに、架設体１３の先端を他の工事用バリケード１１における脚体１２上の連結部３３に連結することにより、複数の工事用バリケード１１を、湾曲状等の任意の形に容易に連設設置することができる。
【００４３】
・  架設体１３は、脚体１２の凹部１７内に設けた規制部１７ａ，１７ｂ，３２ａにより、脚体１２に対してほぼ直角をなす傾斜ゼロ及び４５度の傾斜角度との間において傾動範囲を規制される。このため、脚体１２の向きを適宜に選択することにより、所要形状のバリケード連を得ることができる。すなわち、脚体１１の向きを適宜に設定するとともに、適当な連結部３３を選択することにより架設体１３の角度が最大４５度であれば、所要の湾曲形状を得ることができる。しかも、架設体１３は必要範囲以上に傾動することがなく、バリケード連の設置が容易になる。
【００４４】
・  架設体１３に、表示部２３を形成した。このため、架設体１３を使用状態にしたとき、表示部２３により架設体１３を目立たせることができ、バリケードの存在を一目で確認できて、安全性向上に寄与できる。
【００４５】
・  架設体１３が脚体１２に対して、横方向に延びる使用位置Ｐ１と、縦方向に延びる折り畳み位置Ｐ２とに変移可能に取り付けられている。このため、工事用バリケード１１の不使用時には、架設体１３を使用位置Ｐ１から折り畳み位置Ｐ２に変移させることにより、全体を小型にすることができる。よって、広いスペースを要することなく、大量の工事用バリケード１１を保管及び運搬することができる。また、工事用バリケード１１を工事箇所等へ移動設置する際にも、架設体１３を折り畳み位置Ｐ２に配置した状態で、手軽に取り扱うことができる。
【００４６】
・  架設体１３を軸１８を介して脚体１２に回動可能に取付け、その軸１８を脚本体部１４と連結部材１５との間に支持した。このため、軸１８を脚本体部１４と連結部材１５との間に挟み込めばよく、軸１８をそれ専用の部品を使用することなく、脚体１２に支持することができて、部品点数の増加を抑制して構成を簡単にすることができる。
【００４７】
・  脚体１２に、折り畳まれた架設体１３を嵌合するための嵌合凹部２４が設けられている。このため、架設体１３の折り畳み状態において、工事用バリケード１１全体を薄くできる。従って、折り畳み状態の工事用バリケード１１を小さなスペースで縦方向あるいは横方向に積層することができ、保管や運搬時に便利である。
【００４８】
・  折り畳まれた架設体１３を係止保持するための係止部３１が脚本体部１４に設けられている。このため、架設体１３の折り畳み状態において、架設体１３の妄動を防止でき、運搬時等における取扱いを容易に行うことができる。
【００４９】
・  脚体１２を脚本体部１４と連結部材１５とにより構成した。従って、例えば連結部材１５が複雑な形状であっても、その連結部材１５が脚本体部１４と別体であるため、それらの成型用型が別々になる。従って、成型用型の製作が簡単になり、型費用のコストアップを抑制できる。
【００５０】
・  架設体１３は、折り畳まれた状態において倒伏状態となるように横転可能である。このため、架設体１３はその幅方向が脚体１２の幅方向に沿うことになり、架設体１３が幅広であっても、あるいは実施形態のように表示部２３が形成されていても、架設体１３が脚体１２から突出することがなく、工事用バリケード１１全体を扁平にできる。
【００５１】
（第２の実施形態）
次に、この発明の第２の実施形態を、前記第１の実施形態と異なる部分を中心に説明する。
【００５２】
さて、この第２の実施形態においては、図１０に示すように、一対の脚体１２と１つの架設体１３とが装備されている。そして、架設体１３の両端が支軸４３を介して各脚体１２に対し、水平面内で傾動可能に装着されている。
【００５３】
従って、この第２の実施形態においては、脚体１２の少なくとも一方を、対応する架設体１３に対して傾動させることにより、複数の工事用バリケード１１を、脚体１２が干渉することなく接近させた状態で、湾曲状等の任意の形に容易に連設設置することができる。また、不使用時には、両脚体１２を折り畳むことにより全体を扁平状にして、保管や運搬等に都合がよい。
【００５４】
（第３の実施形態）
次に、この発明の第３の実施形態を、前記第１の実施形態と異なる部分を中心に説明する。
【００５５】
さて、この第３の実施形態においては、図１１に示すように、一対の脚体１２と１つの架設体１３とが装備されている。そして、架設体１３が２つの部材４４，４５に分割して構成され、両部材４４，４５の外端部が各脚体１２に固定されるとともに、両部材４４，４５の内端部が支軸４６を介して水平面内で中折れ傾動可能に連結されている。
【００５６】
従って、この第３の実施形態においては、架設体１３の中間部を水平面内で中折れ傾動させることにより、複数の工事用バリケード１１を、脚体１２が干渉することなく接近させた状態で、湾曲状等の任意の形に容易に連設設置することができる。
【００５７】
なお、この実施形態は、次のように変更して具体化することも可能である。
・  前記各実施形態とは逆に、架設体１３の先端に鈎状溝よりなる被連結部を形成し、脚体１２の連結部材１５上に鈎状突起よりなる複数の連結部を形成すること。
【００５８】
・  前記第２の実施形態において、架設体１３の一端部のみを一方の脚体１２に傾動可能に装着し、架設体１３の他端部を他方の脚体１２に傾動不能に固定すること。
【００５９】
・  図１２に示すように、連結部材１５の連結部３３を円形孔により構成するとともに、架設体１３の被連結部２２を円柱状に形成すること。このように構成すれば、連結部３３と被連結部２２との嵌合において方向性がなくなり、架設体１３と脚体１２とのなす角度を自在に選択できる。
【００６０】
・  前記図１２に示す円形の連結部３３の数を１または２にすること。
・  バリケード連の一端部に設置される専用の工事用バリケードとして、架設体１３を設けず、脚体１２上に連結部材１５を設けた構成にすること。このように構成すれば、バリケード連の端部専用の工事用バリケードとして好適なものになる。
【００６１】
・  架設体１３を脚体１２に対して着脱可能に構成すること。
・  前記実施形態では脚本体部１４及び架設体１３の端部に充実部を設けたが、全体を中空状に形成したり、連結部材１５を中空状に構成したりすること。このようにすれば、いっそうの軽量化が可能になる。
【００６２】
・  架設体１３を脚体１２に対して支持するための支軸を架設体１３側に設け、脚体１２にはその支軸を支持するための支持孔を設けること。この場合、架設体１３が使用位置において傾動できるように、また、架設体１３が折り畳み位置位置において格納位置まで横転できるように、前記支持孔の周辺に支軸の移動を許容する空間を設ける。
【００６３】
・  前記第１，第２の実施形態において、架設体１３の表示部２３の表面に反射材を貼着し、または蛍光剤を塗布すること。
前記実施形態から把握される技術的思想は以下の通りである。
【００６４】
（１）  架設体１３は、表示部を有する請求項１〜６のいずれかに記載の工事用バリケード。このように構成すれば、架設体１３を使用状態にしたとき、表示部２３を目立たせることができ、バリケードの存在を一目で確認できて安全性向上に寄与できる。
【００６５】
（２）  架設体１３は、傾動状態において軸１８との干渉を避けるための切欠部２１を有する請求項１に記載の工事用バリケード。
（３）  脚体１２は、隣接する他の脚体１２との間に長尺材２９を掛け渡すための掛け渡し部２７，２８を有する請求項１〜６，前記（１），（２）項のいずれかに記載の工事用バリケード。このように構成すれば、従って、脚体１２間がその連結において長尺材２９によって拘束されることになり、工事用バリケードが連設位置からずれたりすることを防止できる。
【００６７】
（４）  脚体１２はブロー成形された請求項１〜６，前記（１）〜（３）項のいずれかに記載の工事用バリケード。このように構成すれば、脚体１２全体を軽量化して取扱いが簡単になるとともに、使用材料を少なくでき、しかも、荷重が集中する端部の強度を確保できる。
【００６８】
（５）  架設体１３は、ブロー成形により構成された請求項１〜６，（１）〜（４）項のいずれかに記載の工事用バリケード。このように構成すれば、架設体１３全体を軽量化して取扱いが簡単になるとともに、使用材料を少なくでき、しかも、荷重が集中する端部の強度を確保できる。
【図面の簡単な説明】
【図１】  この発明の工事用バリケードの第１の実施形態を示す斜視図。
【図２】  その工事用バリケードの分解斜視図。
【図３】  工事用バリケードの使用状態を示す要部拡大断面図。
【図４】  工事用バリケードにおいて脚体の折り畳み状態を示す斜視図。
【図５】  工事用バリケードにおいて脚体の格納状態を示す斜視図。
【図６】  脚体の折り畳み及び格納状態の要部拡大断面図。
【図７】  工事用バリケードの直線状設置使用例を示す平面図。
【図８】  同じく屈曲状使用例を示す平面図。
【図９】  同じく環状使用例を示す平面図。
【図１０】  この発明の第２の実施形態を示す工事用バリケードの平面図。
【図１１】  この発明の第３の実施形態を示す工事用バリケードの平面図。
【図１２】  この発明の別の実施形態を示す工事用バリケードの一部斜視図。
【図１３】  従来の工事用バリケードを示す斜視図。
【図１４】  従来の工事用バリケードの設置使用例を示す平面図。
【符号の説明】
１１…工事用バリケード、１２…脚体、１３…架設体、１４…脚本体部、１５…連結部材、１７…取付凹部、１７ａ…内側面、１７ｂ…開口部、１８…支軸、２０…支持孔、２１…切欠部、２２…被連結部、２３…表示部、２４…嵌合凹部、３１，３２…係止部、３２ａ…先端面、３３…連結部。
【図１】
0004101936.tif 000002
【図２】
0004101936.tif 000003
【図３】
0004101936.tif 000004
【図４】
0004101936.tif 000005
【図５】
0004101936.tif 000006
【図６】
0004101936.tif 000007
【図７】
0004101936.tif 000008
【図８】
0004101936.tif 000009
【図９】
0004101936.tif 000010
【図１０】
0004101936.tif 000011
【図１１】
0004101936.tif 000012
【図１２】
0004101936.tif 000013
【図１３】
0004101936.tif 000014
【図１４】
0004101936.tif 000015